(57)【要約】【課題】自動車の速度計や回転計等の計器盤、エアコンにおける制御パネル、時計文字板、家電製品の表示板等において使用される合成樹脂シート賦形加工品に精緻感やシャープ感を付与すると共に、薄厚化が可能であり、意匠ズレが少なく、またホットスタンプ等による金属箔の使用を可能とし、印刷の面付けにも有利な合成樹脂シートの賦形加工品及びその加工方法を提供する。【解決手段】固定側金型11にゲート13を備え、可動側金型12の局部に凹型6が形成された射出成形用金型1内で、固定側金型11と合成樹脂シート2との間におけるゲート口14の周辺に局部的な空隙3を設けることにより、ゲート口14から空隙3に射出された溶融樹脂4によって膨出する該合成樹脂シート2の局部が凹型6の内部形状に応じて賦形される。【選択図】図２
2005074743.tif 000002
【特許請求の範囲】
【請求項１】
射出成形用金型内で合成樹脂シートとゲートとの間に形成された空隙に溶融樹脂の射出成形を行うことによって膨出する該合成樹脂シートが前記金型の所定局部に設けられた凹型の内部形状に応じて賦形された局部形状を有することを特徴とする合成樹脂シートの賦形加工品。
【請求項２】
前記合成樹脂シートの厚みが0.2〜0.8mmであることを特徴とする請求項１記載の合成樹脂シートの賦形加工品。
【請求項３】
前記合成樹脂シートが金属膜と誘電体膜のいずれか一方又は双方を有することを特徴とする請求項１又は２記載の合成樹脂シートの賦形加工品。
【請求項４】
前記合成樹脂シートにおける金属膜又は誘電体膜の可視光透過率が1%〜50%であることを特徴とする請求項３記載の合成樹脂シートの賦形加工品。
【請求項５】
前記合成樹脂シートに施したインキ膜厚が単層の場合に4μ以上であり、二層以上の場合に8μ以上であることによってバックライティングを可能としたことを特徴とする請求項１、２、３又は４記載の合成樹脂シートの賦形加工品。
【請求項６】
前記射出成形することによって合成樹脂シートを膨出させた溶融樹脂を冷却前又は冷却後に剥離することを特徴とする請求項１、２、３、４又は５記載の合成樹脂シートの賦形加工品。
【請求項７】
予め全体的に賦形加工してある合成樹脂シートを用いることを特徴とする
請求項１、２、３、４、５又は６記載の合成樹脂シートの賦形加工品。
【請求項８】
固定側金型にゲートを備え、可動側金型の局部に凹型が形成された射出成形用金型内で、前記固定側金型と合成樹脂シートとの間におけるゲート口の周辺に局部的な空隙を設けることにより、前記ゲート口から前記空隙に射出された溶融樹脂によって膨出する該合成樹脂シートの局部が前記凹型の内部形状に応じて賦形されることを特徴とする合成樹脂シートの賦形加工方法。
【請求項９】
前記ゲート口の周辺に局部的な空隙を設けるために、前記固定側金型に設けられたアシストピンの突出端部を該固定側金型のパーティング面から所定高さだけ突出させたことを特徴とする請求項８記載の合成樹脂シートの賦形加工方法。
【請求項１０】
前記ゲート口の周辺に局部的な空隙を設けるために、ゲート部を前記固定側金型のパーティング面から所定高さだけ突出させ、前記ゲート部の内側に所定深さの掘り込みを設け、その底部にゲート口を設けたことを特徴とする請求項８記載の合成樹脂シートの賦形加工方法。
【請求項１１】
前記ゲート口の周辺に局部的な空隙を設けるために、前記ゲート口を前記固定側金型のパーティング面から凹ませた位置に設けたことを特徴とする請求項８記載の合成樹脂シートの賦形加工方法。
【請求項１２】
前記射出成形用金型内で前記合成樹脂シートに前記局部形状を賦形し、冷却後に該局部形状の全体を突き出すことによって前記金型から賦形加工品を取り出すようにしたことを特徴とする請求項８、９、１０又は１１記載の合成樹脂シートの賦形加工方法。
【請求項１３】
前記射出成形用金型内で前記合成樹脂シートに前記局部形状を賦形し、冷却後に前記局部形状の全体を突き出すことによって前記金型から賦形加工品を取り出した後、硬化した溶融樹脂を除去して合成樹脂シートのみの賦形加工品とすることを特徴とする請求項８、９、１０、１１又は１２記載の合成樹脂シートの賦形加工方法。
【請求項１４】
予め全体的に賦形加工してある合成樹脂シートを用いることを特徴とする請求項８、９、１０、１１、１２又は１３記載の合成樹脂シートの賦形加工方法。
【発明の詳細な説明】
【技術分野】
【０００１】
本発明は、自動車の速度計や回転計等の計器盤、エアコンにおける制御パネル、時計文字板、家電製品の表示板等として使用される合成樹脂シート製銘板を合成樹脂シートの射出成形を利用した局部的賦形加工によって得るようにした合成樹脂シートの賦形加工品及びその加工方法に関するものである。
【背景技術】
【０００２】
従来、自動車の計器盤における速度計、回転計或いは燃料計等の数字、文字、目盛等、さらには各種の警告用等の表示で加飾された立体化合成樹脂シート製銘板を製造する場合、金型に設置した合成樹脂シートを加熱軟化した後、この合成樹脂シートを吸引して金型の成形面に沿って成形するようにした真空成形法、または合成樹脂シートを空気圧力で加圧して金型の成形面に沿って成形するようにした圧空成形法、さらにはこれらの真空成型法と圧空成形法とを併用して合成樹脂シートを金型の成形面に沿って成形するようにした真空圧空成形法等が周知である。
【０００３】
その例として、特許文献１を挙げると、この文献に記載された成形方法は、気泡性多孔質の合成樹脂シートに真空成形法、圧空成形法或いは真空圧空成形法を適用して所定の賦形を行うようにしたものである。
【０００４】
即ち、図１０(a)、(b)に示すように、加熱により軟化したシート材51の片面に無孔シート52を重ね、これらのシート材51と無孔シート52とを型53に設置して両端を金型54、54でクランプし、図１０(b)に矢印で示す加圧作用P1と吸引作用B1によって、シート材51に面する空間を無孔シート52に面する空間よりも負圧にすることにより変形させた無孔シート52を負圧側に変形させると共に、その無孔シート52でシート材51を型53の成形面53aに押圧することによって所定の賦形を行うようにしている。
【０００５】
また、特許文献２に記載された絵付合成樹脂成形品の製造方法は、図１１(a)、(b)、(c)、(d)に示すように、文字、図柄等を印刷した熱可塑性合成樹脂フィルム64又はシートを射出成形用金型に印刷面64’が雌金型62と反対側になるように固定すると共に、上記フィルム64又はシートを加熱軟化する工程（図１１(a)参照）、上記フィルム64又はシートを上記雌金型62内に真空吸引形成する工程（図１１(b)参照）、上記雌金型62内に雄金型69を合体し、上記雄金型69内に溶融合成樹脂74を圧入して射出成形手段により上記成形されたフィルム64又はシートと一体成形して印刷面64’をフィルム64又はシートと上記溶融合成樹脂64との間に埋設する工程（図１１(c)参照）の各工程を包含してなる絵付合成樹脂成形品の製造方法に関するものである。
【０００６】
上記の特許文献２の製造方法をより詳細に述べると、図１１(a)に示すように、成型台61に型台63を介して雌金型62が取り付けられ、印刷された熱可塑性合成樹脂フィルム64を印刷層64’が雌金型62に対して反対側となるように押さえ枠65によって固定し、ヒーター66によってフィルム64を加熱軟化せしめる。次いで、図１１(b)に示すように、真空吸引パイプ67に設けられた真空バルブ67’を開き、雌金型62内に設けられた複数の真空吸引孔68を通してフィルム64を雌金型62に吸引密着させた後、ヒーター66を取り外して冷却固化せしめ、第１段の絵付きフィルム成形を終える。
【０００７】
次に、図１１(c)のように、真空成形されたフィルム64を雌金型62に密着させた状態でこれを雌金型とし、雄金型69を閉じて真空バルブ67’を閉じ、冷却水通路70を循環する水によって両金型を水冷しつつ、ノズル71の注入孔72より雄金型69の注入路73を経て両金型間の空隙部に溶融合成樹脂74を圧入することによって、該溶融合成樹脂74と真空成形されたフィルム64とが一体となって成形される。そして、この一体成形品76の冷却固化後、図１１(d)に示すように、雄金型69を開き成形品76を離脱せしめるために圧空バルブ75’を開いてパイプ75より圧搾空気を送ることにより、成形品76を取り出すようにしている。
【０００８】
【特許文献１】特開平５−２４１０４号公報（第１、２頁、図４、図５）
【特許文献２】特公昭５０−１９１３２号公報（第２頁、第３頁、第１図〜第６図）
【発明の開示】
【発明が解決しようとする課題】
【０００９】
ところで、上記の特許文献１のような真空成型法、圧空成形法、又は真空圧空成形法等によって合成樹脂シートにフォーミングを行なう賦形加工法の場合、形状再現性が悪く、コーナーだれが生じるため、賦形された形状にシャープ感が得られない、或いは意匠ズレが生じるという欠点があった。
【００１０】
さらに、予め加飾されたシート材料に所定の賦形を行なう場合、賦形金型の抑え枠に面積をとられるため印刷の面付けに制限が生じるという欠点、さらには高熱のためホットスタンプ等による金属箔を使用することができないという欠点があった。
【００１１】
一方、上記の特許文献２の発明は、合成樹脂フィルム64又はシートを所定の雌金型による真空吸引成形を行い、該成形されたフィルム64又はシートの裏面全体に射出成形による溶融合成樹脂74を一体成形する方法である。ところが、このような特許文献２の技術においては、雌金型62の近傍にヒーター６６を設けると共に雌金型62に複数の真空吸引孔68を設け、さらには雌金型62を支持する成形台61と真空吸引パイプ67及びバルブ67’と圧搾空気送給用のパイプ75及びバルブ75’等を設けるための多大な設備上の手間及びコストを要するという問題点がある。
【００１２】
また、特許文献２における熱可塑性合成樹脂フィルム64又はシートを雌金型62側に真空吸引形成する工程においては、成形品76の表面となる側が雌金型62に設けられた複数の真空吸引孔68に密着して吸引されるため、その際の吸引跡が成形品76に残り、また溶融合成樹脂を圧入する際にその圧力によって成形品76の表面に複数の真空吸引孔68の痕跡が残ってしまうという問題点がある。
【００１３】
また、この引用文献２の製造方法によれば、真空吸引成形されたフィルム64又はシートの裏面全体に溶融合成樹脂74を射出成形するようにしてあるため、一体成形品76の肉厚が大になるという問題点がある。
【００１４】
さらには、引用文献２の製造方法においては、フィルム64又はシートに局部的な形状のみを簡単な方法で賦形するという技術が開示されていないため、本発明者等は、全く独自の新たな技術によって合成樹脂シートの局部的賦形加工方法を開発する必要があったのでる。
【００１５】
本発明は、このような従来の事情に鑑みてなされたもので、自動車の速度計や回転計等の計器盤、エアコンにおける制御パネル、時計文字板、家電製品の表示板等において使用される立体化銘板に合成樹脂シートの局部的賦形加工によって精緻感やシャープ感を付与すると共に、薄厚化が可能であり、意匠ズレが少なく、またホットスタンプ金属箔の使用を可能とし、印刷の面付けにも有利な合成樹脂シートの賦形加工品及びその加工方法を提供することを目的とする。
【課題を解決するための手段】
【００１６】
上記の目的を達成するために、本発明における請求項１の合成樹脂シートの賦形加工品は、射出成形用金型内で合成樹脂シートとゲートとの間に形成された空隙に溶融樹脂の射出成形を行うことによって膨出する該合成樹脂シートの局部が、前記金型の所定局部に設けられた凹型の内部形状に応じて賦形された局部形状を有することを特徴とする。
【００１７】
また、本発明における請求項２の合成樹脂シートの賦形加工品は、請求項１において、前記合成樹脂シートの厚みが0.2〜0.8mmであることを特徴とするものである。
【００１８】
また、本発明における請求項３の合成樹脂シートの賦形加工品は、請求項１又は２において、前記合成樹脂シートが金属膜と誘電体膜のいずれか一方又は双方を有することを特徴とする。
【００１９】
また、本発明における請求項４の合成樹脂シートの賦形加工品は、請求項１、２又は３において、前記合成樹脂シートにおける金属膜又は誘電体膜の可視光透過率が1%〜50%であることを特徴とする。
【００２０】
また、本発明における請求項５の合成樹脂シートの賦形加工品は、請求項１、２、３又は４において、前記合成樹脂シートに施したインキ膜厚が単層の場合に4μ以上であり、二層以上の場合に8μ以上であることによってバックライティングを可能としたことを特徴とする。
【００２１】
また、本発明による請求項６の合成樹脂シートの賦形加工品は、請求項１、２、３、４又は５において、前記射出成形することによって合成樹脂シートを膨出させた溶融樹脂を冷却前又は冷却後に剥離することを特徴とする。
【００２２】
また、本発明による請求項７の合成樹脂シートの賦形加工品は、請求項１、２、３、４、５又は６において、予め全体的に賦形加工してある合成樹脂シートを用いることを特徴とする。
【００２３】
本発明による請求項８の合成樹脂シートの賦形加工方法は、固定側金型にゲートを備え、可動側金型の局部に凹型が形成された射出成形用金型内で、前記固定側金型と合成樹脂シートとの間におけるゲート口の周辺に局部的な空隙を設けることにより、前記ゲート口から前記空隙に射出された溶融樹脂によって膨出する該合成樹脂シートの局部が前記凹型の内部形状に応じて賦形されることを特徴とする。
【００２４】
また、本発明による請求項９の合成樹脂シートの賦形加工方法は、請求項８において、前記ゲート口の周辺に局部的な空隙を設けるために、前記固定側金型に設けられたアシストピンの突出端部を該固定側金型のパーティング面から所定高さだけ突出させたことを特徴とする。
【００２５】
また、本発明による請求項１０の合成樹脂シートの賦形加工方法は、請求項８において、前記ゲート口の周辺に局部的な空隙を設けるために、ゲート部を前記固定側金型のパーティング面から所定高さだけ突出させ、前記ゲート部の内側に所定深さの掘り込みを設け、その底部にゲート口を設けたことを特徴とする。
【００２６】
また、本発明による請求項１１の合成樹脂シートの賦形加工方法は、請求項８において、前記ゲート口の周辺に局部的な空隙を設けるために、前記ゲート口を前記固定側金型のパーティング面から凹ませた位置に設けたことを特徴とする。
【００２７】
また、本発明による請求項１２の合成樹脂シートの賦形加工方法は、請求項８、９、１０又は１１において、前記射出成形用金型内で前記合成樹脂シートに前記局部形状を賦形し、冷却後に該局部形状の全体を突き出すことによって前記金型から賦形加工品を取り出すようにしたことを特徴とする。
【００２８】
また、本発明による請求項１３の合成樹脂シートの賦形加工方法は、請求項８、９、１０、１１又は１２において、前記射出成形用金型内で前記合成樹脂シートに前記局部形状を賦形し、冷却後に前記局部形状の全体を突き出すことによって前記金型から賦形加工品を取り出した後、硬化した溶融樹脂を除去し合成樹脂シートのみの賦形加工品とすることを特徴とする。
【００２９】
さらに、本発明による請求項１４の合成樹脂シートの賦形加工方法は、請求項８、９、１０、１１、１２又は１３において、予め全体的に賦形加工してある合成樹脂シートを用いることを特徴とする。
【発明の効果】
【００３０】
以上の本発明による合成樹脂シートの賦形加工品は、射出成形用金型内で合成樹脂シートと金型との間に形成された空隙に溶融樹脂の射出成形を行うことによって膨出する該合成樹脂シートが金型の所定局部に設けられた凹型の内部形状に応じて賦形された局部形状を有するものであるため、形状再現性が良好に行われ、正確な位置にシャープな形状で賦形が成され、精緻感やシャープ感に優れた立体形状を得ることができ、意匠ズレが少ないことと併せて、形状性及び意匠性に優れた合成樹脂シートの賦形加工品を得ることが可能となる。
【００３１】
また、本発明により賦形がなされた加工品は、合成樹脂シートにおける所定局部の裏面に射出成形による溶融樹脂が冷却された状態で溶着され、該樹脂はシート面から突出しないため、また他の箇所は合成樹脂シートのみで形成されているため、成形品の薄厚化が可能であり、取付けスペースに制限のある箇所にも有利に取り付けることができる。さらに、ホットスタンプ金属箔の使用が可能であって、優れた金属調外観と該部及び印刷部のバックライティングの可能性を備えた局部形状を有する立体成形品を得ることが可能となる。
【００３２】
さらに、本発明においては、局部形状を賦形すべき合成樹脂シートの所定箇所にゲート口から溶融樹脂を射出する際、固定側金型と合成樹脂シートとの間におけるゲート口の周辺に局部的な空隙を設けた構成としてあるため、溶融樹脂の射出圧力が合成樹脂シートに集中的な衝撃を与えることを緩和し、合成樹脂シートの破断、及び樹脂漏れを防止することが可能となる。
【発明を実施するための最良の形態】
【００３３】
本発明による合成樹脂シートの賦形加工品10は、図１、２、３に示すように、射出成形用金型1内で合成樹脂シート2とゲート13との間に形成された空隙3に溶融樹脂4の射出成形を行うことによって膨出する合成樹脂シート2が金型1の所定局部に設けられた凹型6の内部形状に応じて賦形された局部形状7を有するものである。
【００３４】
従って、本発明による賦形加工品10は、射出成形用金型1内で合成樹脂シート2の所定の局部箇所が溶融樹脂4の射出成形によって軟化しつつ膨出されると共に、この膨出変形を射出成形用金型1の所定局部に設けられた凹型6の内部で受けてその外形を凹型6の内部形状で賦形することにより、この凹型6の内部形状に忠実な突形状として賦形される。また、その局部形状7の裏側には溶融樹脂4が充填され、冷却後には硬化された樹脂が付着された状態で形成される。なお、この樹脂は必要に応じて除去してよい。
【００３５】
即ち、本発明においては、上記のように射出成形することによって合成樹脂シート2を膨出させた溶融樹脂４を冷却前又は冷却後に剥離するようにしてもよい。
【００３６】
さらに、本発明においては、上記の合成樹脂シート2として、予め全体的に賦形加工してある合成樹脂シートを用いるようにしてもよい。
【００３７】
このような本発明による賦形加工品10は、溶融樹脂4を射出成形した局部が合成樹脂シート面から突出せず該局部以外は合成樹脂シート2のみの構成となるため、従来の合成樹脂シートの裏面全面に樹脂を射出した成形品に比べて肉厚を薄く抑えることができる。
【００３８】
このような本発明による賦形加工品10において、合成樹脂シート2の厚みは0.2〜0.8mmであることが好ましい。合成樹脂シート2の厚みが0.2mmよりも薄いと局部形状7を付与する変形の際にシート2が破れるおそれがあり、また0.8mmよりも厚いと凹型6による局部形状7を忠実に賦形するのが困難になる。
【００３９】
また、合成樹脂シートが金属膜と誘電体膜のいずれか一方又は双方を有することによって金属調の外観を与えることができる。本発明において、金属膜としては、アルミニウム，クロム、銀、ニッケル等が適する。誘電体膜としては、Al2O3、TiO2、SiO2、SiO、ZrO2、Ta2O5、ZnS、MgF2及びこれらの混合物が適する。
【００４０】
また、この合成樹脂シートにおける金属膜又は誘電体膜の可視光透過率は1%〜50%であることが好ましい。可視光透過率が1%より低いと透過照明時に暗すぎて実用に耐えない。また、可視光透過率が50%よりも高いと光があまり反射されず、金属調の外観が損なわれる。
【００４１】
また、合成樹脂シートに施したインキ膜厚が単層の場合に4μ以上であり、二層以上の場合に8μ以上であることによってバックライティングが可能となる。この場合、インク膜厚が単層の場合に4μよりも薄かったり、二層以上の場合に8μよりも薄かったりするとピンホールが発生して透過照明時に漏光しバックライティングができなくなる。
【００４２】
本発明の合成樹脂シートの賦形加工方法としては、図２、３に示すように、固定側金型11にゲート13を備え、可動側金型12の局部に凹型6が形成された射出成形用金型1内で、固定側金型11と合成樹脂シート2との間におけるゲート口14の周辺に局部的な空隙3（図４、５、６参照）を設けることにより、ゲート口14から空隙3に射出された溶融樹脂4によって膨出する該合成樹脂シート2の局部が凹型6の内部形状に応じて賦形されるようにしている。
【００４３】
このような加工方法において、合成樹脂シート2におけるゲート口14の周辺に局部的な空隙3を設けるための形態としては、図４に示すように、固定側金型11に設けられたアシストピン16、16の各突出端部を固定側金型11のパーティング面11aから所定高さだけ突出させた構成としてもよい。
【００４４】
また、図５に示すように、合成樹脂シート2におけるゲート部15の周辺に局部的な空隙3を設けるために、ゲート部15を固定側金型11のパーティング面11aから所定高さだけ突出させ、且つゲート部15の内側に所定深さの掘り込み15aを設けその底部にゲート口14を設けた構成としてもよい。
【００４５】
さらに、図６に示すように、合成樹脂シート2におけるゲート口14の周辺に局部的な空隙3を設けるために、ゲート口14を固定側金型11のパーティング面11aから凹ませた位置（凹部17）に設けた構成としてもよい。
【００４６】
上記のいずれの構成においても、ゲート口14の周辺に局部的な空隙3を設けた構成としたことにより、ゲート口14から射出される溶融樹脂4の合成樹脂シート2に対する一点衝突が防止される。即ち、仮に、固定側金型11のパーティング面11aに合成樹脂シート2が密着した状態に設けられ、該合成樹脂シート2にゲート口14が接触した状態で溶融樹脂4が射出された場合、溶融樹脂4の射出圧力が合成樹脂シート2の一点に集中して衝撃を与える結果、該合成樹脂シート2が破断して樹脂漏れを生じるおそれがある。
【００４７】
本発明においては、このような不都合を解消し、合成樹脂シート2の所定局部に賦形された局部形状7を破断なく均一に形成するため、上記のように合成樹脂シート2におけるゲート口14の周辺に局部的な空隙3を設ける構成とし、ゲート口14からの溶融樹脂4の射出圧力を拡散又は緩和した状態で合成樹脂シート2に当てるようにしている。
【００４８】
さらに、本発明においては、射出成形用金型1内で合成樹脂シート2に局部形状7を賦形し、冷却後に該局部形状7の全体を突き出すことによって金型1から賦形加工品10を取り出すことができる。
【００４９】
そのための好ましい実施形態としては、図２または図３に示すように、合成樹脂シート2に局部形状7が形成されるようにした可動側金型12の凹型6の上面における周部全体にスリーブ状の突出型20の端部が接するように形成し、該突出型20が可動側金型12内で移動可能とされたことにより、冷却硬化後のリング状の賦形加工品10を突出型20の移動によって凹型6の外方へ取り外すことが可能となる。
【００５０】
また、上記の本発明において、射出成形用金型1内で合成樹脂シート2に局部形状7を賦形し、その冷却後に局部形状7の全体を突き出すことによって金型1から賦形加工品10を取り出した後、硬化した溶融樹脂4を取り除くことによって合成樹脂シート2のみの賦形加工品とするようにしてもよい。
【００５１】
さらに、上記の本発明において、予め全体的に賦形加工してある合成樹脂シート2を用いるようにしてもよい。
【００５２】
上記の賦形加工方法による好ましい実施形態として、図１、２、３に示す射出成形用金型1によって、図７に示すように表面に黒色を印刷した厚さ0.5mmの透明なPC（ポリカーボネート）又はPMMA（ポリメタクリル酸メチルアクリル）による合成樹脂シート2を12ｃｍ角に裁断したものに、局部形状7として内径の直径が約9ｃｍの突出リング形状を賦形した半製品を得る。
【００５３】
この局部形状7としての突出リング形状は、例えば、自動車の速度計に使用する場合のように、突出リング形状の内側に最低速度から所定の最高速度まで所定間隔で印刷した目盛り用凸部8、8…を突出形成したものを備えている。
【００５４】
このような突出リング形状（局部形状）7は比較的大径であるため、図１に示すように、突出リング形状7の周部を３分割した３箇所に上記のゲート口14を設け、該ゲート口14から射出した溶融樹脂4が複数の目盛り用凸部8、8…を含めて突出リング形状7を成す膨出された隙間全体に満遍なく充填されるようにしている。このゲート口14の設定数は３箇所に限定されることなく、賦形すべきリング形状等の周形状の径や内部容積等に応じて設定される。また、図１、図７に示す突出リング形状7は、略円形に形成されたものであるが、このような円形に限定されるものではなく、四角形や円弧形やその他の形状であっても本発明による局部形状7を賦形することが可能である。このような突出リング形状7を突き出し部として利用することにより突き出しピンと異なり製品表面に突き出し跡を形成しないことが特徴である。
【００５５】
さらに、ゲート口14の周辺に局部的な空隙3を設けるために、ゲート口14の左右近傍に固定側金型11に設けられたアシストピン16の突出端部を該固定側金型11のパーティング面11aから所定高さ（例えば、4.0mm）だけ突出させた構成としている。
【００５６】
なお、図１に示すように、このような固定側金型11の左右の中央位置の両端部に突出部11b、11bを形成し、その上面に位置決めピン18、18を設け、可動側金型12にも位置決めピンを収容する孔19、19（図２、図３参照）を形成し、この位置決めピン18、18に合成樹脂シート2の両端に設けた位置決め用切欠部2a、2aを嵌合することによって、合成樹脂シート2を所定位置に正確に固定した状態で賦形加工を遂行することが可能となる。
【実施例１】
【００５７】
この実施例の賦形加工品10は、図８に示すような自動車の速度計21、回転計22及び燃料計23の３種のメータを備えた一体（文字板）計器板の外側リング24、25とこれに接する目盛り用凸部8を突出した局部形状7として前記文字板を印刷した合成樹脂シート2に賦形加工したものである。ただし、燃料計23の外側リング25には目盛り用凸部は形成されてなく、そのリング25内には燃料計23の他に水温計27の表示がなされている。
【００５８】
このような計器板30において各メータの外側リング24、25に金属調外観を有する突形状を賦形するには、合成樹脂シート2として透明なポリカーボネートシートを使用し、このシートの各メータの外側リング位置にメタリック印刷を施しておく。
【００５９】
また、左右の速度計21と回転計22の夫々の外側リング24は大径であるため、図１と同様に、リング形状の周部を３等分した３箇所に溶融樹脂4を射出するためのゲート口14を設けると共に、図４に示すように、各ゲート口14の左右近傍に固定側金型11のパーティング面11aから所定高さ（4.0mm）だけ突出させたアシストピン16、16を設ける。
【００６０】
さらに、図５に示すように、ゲート口14を固定側金型11のパーティング面11aから所定高さだけ突出させ、或いは、図６に示すように、ゲート口14を固定側金型11のパーティング面11aから凹ませた位置に設けた構成とすることにより、印刷を施した合成樹脂シート2におけるゲート口14の周辺に局部的な空隙3を設ける。
【００６１】
ただし、上記の計器板30において、中央下方の燃料計23の外側リング25は左右の外側リング24、24よりも小径であるため、不図示ではあるが、リング形状の周部を２等分した２箇所、または１箇所のみに溶融樹脂を射出するためのゲート口を設けると共に、各ゲート口の左右近傍に固定側金型のパーティング面から所定高さだけ突出させたアシストピン等のその他の手段を設けることによって、印刷を施した合成樹脂シート2におけるゲート口の周辺に局部的な空隙を形成する。
【００６２】
また、図２、図３と同様に、可動側金型12には速度計21、回転計22及び燃料計23の所望の形状に応じた内部形状を有する凹型6を形成する。そして、印刷を施した合成樹脂シート2を固定側金型11と可動側金型12との間に位置決めして型閉じを行い、ゲート口14から溶融樹脂4を射出成形することによって図８に示すような速度計21、回転計22及び燃料計23等の金属調外観を有するメタリックリング（外側リング24、24、25）を得ることができる。
【実施例２】
【００６３】
また、図８に示す計器板30において、実施例１によるメタリックリング（外側リング24、24、25）の代わりに、合成樹脂シート2として透明なポリカーボネートシートに可視光透過率が３０%のアルミニウム等の金属箔を転写して上記の方法で突状のリング形状を賦形することによって、このリング形状に金属調外観を賦与し且つバックライティング可能とすることもできる。
【実施例３】
【００６４】
さらに、図８に示す計器板30において、各メータ21、22、23内の文字や各種の警告用記号28等をバックライティング可能に形成するには、計器板30のメータ21、22、23内の文字や各種の警告用記号28等が抜き文字或いは抜き形状となるように表面に黒色を印刷した透明なポリカーボネートシートに文字部や意匠部のインキ膜厚を単色の透光部で5〜7μ、二色重ねの遮光部で14.8μとすることによって、バックライティングを可能とすることができる。
【実施例４】
【００６５】
また、本発明によれば、印刷を施した合成樹脂シート2に真空圧空成形機で予備成形した図９に示すような自動車用計器板31の速度計32の周辺にシャープな円弧状の突起リング33を賦形加工することができる。この場合、上記のリング形状のように円形の周形状ではなく、円弧形の突形状となるが、上記のリング形状と同様に、円弧状の突起リング33を３分割した２箇所に溶融樹脂を射出するためのゲート口を設けると共に、各ゲート口の左右近傍に固定側金型のパーティング面から所定高さだけ突出させたアシストピンを設けたり、他の手段によってゲート口の周辺に局部的な空隙を設ける。
【００６６】
また、可動側金型には速度計の周辺に形成すべき円弧状のシャープな突起リングに応じた凹型を形成し、印刷を施した合成樹脂シートを固定側金型と可動側金型の間に位置決めして型閉じを行い、ゲート口から溶融樹脂を射出成形することによって図９に示すような速度計32の周辺に円弧状のシャープな突起リング33を得ることができる。
【産業上の利用可能性】
【００６７】
本発明の合成樹脂シートの賦形加工品及びその加工方法によれば、自動車の速度計や回転計等の計器盤、エアコンにおける制御パネル、時計文字板、家電製品の表示板等として使用される合成樹脂シート製銘板において、精緻感やシャープ感に優れた立体形状を得ることができ、意匠ズレが少ないことと併せて、形状性及び意匠性に優れた合成樹脂シート製銘板の立体成形品を得ることが可能となる。
【００６８】
また、本発明による合成樹脂シート製銘板の薄厚化が可能であるため、スペースに制限のある箇所にも有利に取り付けることができ、ホットスタンプ金属箔の使用を可能とするため、所定の局部に金属調の局部形状を形成することにも利用できる合成樹脂シートの賦形加工品及び加工方法を得ることができる。
【００６９】
さらに、本発明においては、射出成形することによって合成樹脂シートを膨出させた溶融樹脂を冷却前又は冷却後に剥離することによって、該剥離した溶融樹脂をリサイクルすることができ、製造費のコストダウンに有益となる。
【図面の簡単な説明】
【００７０】
【図１】本発明を説明するための平面図であり、固定側金型の上面に賦形加工後の合成樹脂シートを位置決めピンで固定した状態を示す。
【図２】図１に示す射出成形用金型のＡ−Ａ矢視線に相当する位置の縦断面図であり、固定側金型と可動側金型とを型閉じした状態を示す。
【図３】図１に示す射出成形用金型のＡ−Ａ矢視線に相当する位置の縦断面図であり、固定側金型と可動側金型とを型開きした状態を示す。
【図４】図１に示す射出成形用金型のＢ−Ｂ矢視線に相当する位置の部分断面図であり、固定側金型に設けられたアシストピンの突出端部を該固定側金型のパーティング面から所定高さだけ突出させた構成を示す。
【図５】図１に示す射出成形用金型のＢ−Ｂ矢視線に相当する位置の部分断面図であり、ゲート口を固定側金型のパーティング面から所定高さだけ突出させた構成を示す。
【図６】図１に示す射出成形用金型のＢ−Ｂ矢視線に相当する位置の部分断面図であり、ゲート口の周辺に局部的な空隙を設けるために、ゲート口を固定側金型のパーティング面から凹ませた位置に設けた構成を示す。
【図７】本発明による合成樹脂シートの賦形加工品であって、図１、２、３による射出成形用金型によって賦形加工された半製品である。
【図８】本発明の実施例１、２、３による合成樹脂シートの賦形加工品である。
【図９】本発明の実施例４による合成樹脂シートの賦形加工品である。
【図１０】(a)、(b)は、従来の特許文献１に関する断面図である。
【図１１】(a)、(b)、(c)、(d)は、従来の特許文献２に関する断面図である。
【符号の説明】
【００７１】
1…射出成形用金型
2…合成樹脂シート
2a…位置決め用切欠部
3…空隙
4…溶融樹脂
6…凹型
7…局部形状（突出リング形状）
8…目盛り用凸部
10…賦形加工品
11…固定側金型
11a…パーティング面
12…可動側金型
13…ゲート
14…ゲート口
15…ゲート部
15a…掘り込み
16…アシストピン
17…凹部
16…アシストピン
18…位置決めピン
19…位置決めピンを収容する孔
20…突出型
21…速度計
22…回転計
23…燃料計
24、25…外側リング
27…水温計
28…警告用記号
30…計器板
31…計器板
32…速度計
33…突起リング
【図１】
2005074743.tif 000003
【図２】
2005074743.tif 000004
【図３】
2005074743.tif 000005
【図４】
2005074743.tif 000006
【図５】
2005074743.tif 000007
【図６】
2005074743.tif 000008
【図７】
2005074743.tif 000009
【図８】
2005074743.tif 000010
【図９】
2005074743.tif 000011
【図１０】
2005074743.tif 000012
【図１１】
2005074743.tif 000013